Podtech/llm-jp-corpus-v4-ja_patent huggingface dataset:
(57)【要約】      （修正有）【課題】複雑且つ難解な麻雀ゲ−ムの得点計算を、初心者向けに簡単明瞭にする。【解決手段】サイコロを振る回数を少なくすること、上がり組み合わせの種類を少なく絞ったこと、誰にでも記入出来る伝票形式にしたこと、上がり点、組み合わせ点をはっきり明記したことにより、分かりやすく得点計算が出来るようになりました。【選択図】図１
0003132923.tif 000002
【実用新案登録請求の範囲】
【請求項１】
本考案品は、初心者向けに考案したもので、名称を「余暇の友社式  家庭麻雀ゲ−ム点数計算伝票」と言い、複雑且つ難解な麻雀ゲ−ムの得点計算を、誰にでも分かり易く、簡単明瞭にした伝票です。
【考案の詳細な説明】
【技術分野】
【０００１】本考案品は、複雑難解な麻雀ゲ−ムの得点計算を簡単明瞭にした伝票です。
【背景技術】
【０００２】麻雀ゲ−ムを愛好している人の中にも、あまりにも複雑過ぎる得点計算が出来ないため、楽しさを半減させている人がいます。
【考案の開示】
【考案が解決しょうとする課題】
【０００３】ゲ−ム時間の長い事、上がり組み合わせの多い事、それに伴い得点計算が複雑難解であることが、ゲ−ムの楽しさ、面白さを半減させているように思いましたので、この欠点を解決しようと考えました。
【課題を解決するための手段】
【０００４】目的を達成するために、東場、南場ともサイコロを振るのを一人一回にして、時間を短縮しました。上がり組み合わせも、初級、中級、上級と大きく分けそれぞれに分かりやすい得点を配し、該当した組み合わせ部分の得点を伝票右の欄に書き出し、必要な欄の合計を出すだけで問題を解決することが出来ます。
【考案の効果】
【０００５】本考案品は、複雑難解な麻雀ゲ−ムの得点計算を伝票上に記入する事によって全員が納得し、理解しあい今後のゲ−ムの技術向上にもつながると思います。
【考案実施のための最良の形態】
【０００６】伝票ですので、ゲ−ムが始まる前に記入出来る箇所は全て記入して置きます。ゲ−ム終了時に全員で検討、理解、納得、見直しが心ゆくまで出来ます。
【実施例】
【０００７】以下は添付図面にて説明いたします。
【図面の簡単な説明】
【０００８】
【図１】本考案品の「余暇の友社式  家庭麻雀ゲ−ム点数計算伝票」の正面図です。
【符号の説明】
【０００９】１    伝票名及び場の名前欄
２    座席名欄
３    サイコロ振り人名欄
４    上がり点数名欄
５    組み合わせ名欄
６    得点欄
７    勝者名欄
８    創作点欄
９    減点組み合わせ欄
１０  合計点欄
１１  点棒支払い額欄
【図１】
0003132923.tif 000003
【手続補正書】
【提出日】平成18年11月28日(2006.11.28)
【手続補正１】
【補正対象書類名】実用新案登録請求の範囲
【補正対象項目名】全文
【補正方法】変更
【補正の内容】
【実用新案登録請求の範囲】
【請求項１】
本考案品は、麻雀ゲ−ムの得点計算を伝票形式にしたものである。
上がり組み合わせ方を、初級、中級、上級と大きく分け、それぞれに得点を配し、該当した上がり組み合わせ部分の得点を、伝票の右欄に書きだし、必要な欄の点数を、加算、減算して得点を出す伝票である。
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
麻雀ゲームの得点計算を伝票形式にしたものであって、上がり組み合わせが初級、中級、上級に大別されて、それぞれの得点が記載され、該当した上がり組み合わせ得点を、伝票の右欄に書き出して、必要な欄の点数を加算、減算することにより、得点を簡潔に算出する点数計算伝票
(57)【要約】      （修正有）【課題】石けんが小さくなると使いづらくなって最後まで使いきるのは、とても大変ということを解消する中芯を入れた改良石けんを提供する。【解決手段】小さくなった石けん１に相当する部分に、石けんとは異なる、捨ててもいいような中芯２を入れる。【選択図】図１
0003132927.tif 000002
【実用新案登録請求の範囲】
【請求項１】
石けんの中央部に、角形・ひし形・円形・だ円形および円形・だ円形の表面に凹凸をつけた、石けんと同色もしくは異なった色相の、石けんとは異なる中芯を入れる。
【考案の詳細な説明】
【技術分野】
【０００１】  本考案は、一般に普及している固形石けんに関する。
【背景技術】
【０００２】  従来の石けんは、中芯が無かった。
【考案の開示】
【考案が解決しようとする課題】
【０００３】  しかし、これでは、小さくなると使いづらくなり最後まで使いきるのは、とても大変だった。
【課題を解決するための手段】
【０００４】  そこで、小さくなった石けんに相当する部分に、石けんとは異なる、捨ててもいいような中芯を入れることを考案した。
【考案の効果】
【０００５】  よって、本考案の石けんにより最後まで使っても使いづらいということが生じにくくなる。
【考案を実施するための最良の形態】
【０００６】  本考案に係る石けん１は図１に示すように、中央部に中芯２がある。そしてこの中芯２の周囲に、目の不自由な人のために、凹凸があることがのぞましい。この凹凸は手で触れて分かる程度がのぞましい。又石けん３は図２に示すように、中央部に中芯４がある。
又、中芯は石けんと明確に区別できるよう、石けんと反対色にすることがのぞましい。
素材は、軽くて水に溶けない、低コストのものがのぞましい。
【図面の簡単な説明】
【０００７】
【図１】  中央部に表面に凹凸のある中芯２を備えている石けんの断面図である。
【図２】  中央部に中芯４を備えている石けん３の断面図である。
【符号の説明】
【０００８】  １  石けん
２  中芯
３  石けん
４  中芯
【図１】
0003132927.tif 000003
【図２】
0003132927.tif 000004
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
角形・ひし形・円形・だ円形および円形・だ円形の表面に凹凸をつけた、石けんと同色もしくは異なった色相の、石けんとは異なる中芯を中央部に入れた石けん。
(57)【要約】      （修正有）【解決手段】ズボンをはいて外出し、トイレを使用する時、裾が床につきにくくする幅１、５ｃｍ位の長さ３０ｃｍぐらいのゴムひもの両端に、２、５ｃｍの面状ファスナー一方は上に、一方は下に取り付け、使用する時ズボンの上から膝下よりふくらはぎまでの間に、両端の面状ファスナーで止めて、止めた上のあたりのズボンを引き上げてズボンの裾をうえに上げ、両足に取り付けて使用する又、お茶会などで履物ぞうりのはなおに名前を書いて履き違えをなくす、飾ボタンかリボン１を付けた、装着し易くて便利なズボン汚れストッパー兼履物チェンジストッパー。【効果】ズボンをはいて外出し、トイレを使用する時、特に雨の日はトイレが汚れていても、ズボン汚れストッパー兼履物チェンジストッパーを使用することにより、ズボンの裾が汚れない、又はなおにつけておくと他の人の履物と間違わない。【選択図】図１
0003132928.tif 000002
【実用新案登録請求の範囲】
【請求項１】
ズボンをはいて外出し、トイレを使用する時、特に雨の日はトイレが汚れていてズボンの裾が床につきよごれ、ズボンの裾を曲げたりしてすますも途中で曲げたズボンがずれ落ち裾が汚れるので、幅１、５ｃｍ位の長さ３０ｃｍぐらいのゴムひもの両端に、２、５ｃｍのを面状ファスナー一方は上に、一方は下に取り付け、右足、左足用と２つ作り、使用する時ズボンの上から膝下よりふくらはぎまでの間に、両端の面状ファスナ−で止めて、止めた上のあたりのズボンを引き上げてズボンの裾をうえに上げ、両足に取り付けて用を済まして、両端の面状ファスナーをはずすと裾が汚れなくてすむし、又、お茶会などで履物ぞうりのはなおに、名前を書いた考案のズボン汚れストッパー兼履物チェンジストッパーを下駄箱に置く時、はなおに付けると、他の人のぞうりと履き違えなくてすむし、面状ファスナーの裏側一方に面状ファスナー同士着ける時こちらが上になりますよと、すぐに分かる様に、飾りボタンかリボン等をめ印を付けた、装着し易くてべんりなズボン汚れストッパー兼履物チェンジストッパー。
【考案の詳細な説明】
【技術分野】
【０００１】ゴムを使用しているため、伸縮性が有リ足の太さに関係なく取り付ける事が出来又、一方にこちらが上になりますよと、すぐに分かる様に、飾りボタンかリボン等を目印を付けている為すばやく装着する事ができる。
【背景技術】
【０００２】腕に使用するのはあったが足には使用出来ない、なぜなら靴を履いたままか又は靴を脱いで輪の中に足を入れてするしかないので、ズボンがよごれるし装着に時間がかかる。
【考案の開示】
【考案が解決しようとする課題】
【０００３】ズボンの裾をよごさないでトイレで用を済ませる事が出来るように、またお茶会などで履物が同じの方がおおくまちがえる。
【課題を解決しようとするための手段】
【０００４】ゴムを使用しているため、伸縮性が有リ足の太さに関係なく取り付ける事が出来又、一方にこちらが上になりますよと、すぐに分かる様に、飾りボタンかリボン等を目印を付けている為すばやく装着する事ができ、ズボンの裾を汚さないで用をすることが出来、又、履物においては、名前をズボン汚れストッパー兼履物チェンジストッパーに書いて、はなおに止めれば他の人の履物と間違わない。
【考案の効果】
【０００５】ズボンをはいて外出し、トイレを使用する時、特に雨の日はトイレが汚れていても、ズボン汚れストッパー兼履物チェンジストッパーを使用することにより、ズボンの裾が汚れない、又はなおにつけておくと他の人の履物と間違わない。
【考案を実施するための最良の形態】
【０００６】すぐ使用できるようにズボンのポケット等に、又、バックの隅に丸めて入れて持運びが簡単。
【図面の簡単な説明】
【０００７】幅の１、５ｃｍ位の長さ３０ｃｍぐらいのゴムひもの両端に、幅１、５ｃｍ位で長さ２、５ｃｍの面状ファスナーを一方は上に、一方は下に取り付け、面状ファスナーで止めると輪になるようにし、輪の上になる方に、飾りボタンかリボン等を取付ける。
【符号の説明】
【０００８】１  飾りボタンかリボン
２  正面面状ファスナー
３  裏面面状ファスナー
【図１】
0003132928.tif 000003
【図２】
0003132928.tif 000004
【手続補正書】
【提出日】平成19年2月2日(2007.2.2)
【手続補正１】
【補正対象書類名】明細書
【補正の内容】
0003132928.tif 000005
0003132928.tif 000006
【手続補正書】
【提出日】平成19年4月9日(2007.4.9)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】ゴムを使用しているため、伸縮性が有リ足の太さに関係なく取り付ける事が出来又、一方にこちらが上になりますよと、すぐに分かる様に、飾りボタンかリボン等を目印を付けている為すばやく装着する事ができる。
【背景技術】
【０００２】腕に使用するのはあったが足には使用出来ない、なぜなら靴を履いたままか又は靴を脱いで輪の中に足を入れてするしかないので、ズボンがよごれるし装着に時間がかかる。
【考案の開示】
【考案が解決しようとする課題】
【０００３】ズボンの裾をよごさないでトイレで用を済ませる事が出来るように、またお茶会などで履物が同じの方がおおくまちがえる。
【課題を解決しようとするための手段】
【０００４】ゴムを使用しているため、伸縮性が有リ足の太さに関係なく取り付ける事が出来又、一方にこちらが上になりますよと、すぐに分かる様に、飾りボタンかリボン等を目印を付けている為すばやく装着する事ができ、ズボンの裾を汚さないで用をすることが出来、又、履物においては、名前をズボン汚れストッパー兼履物チェンジストッパーに書いて、はなおに止めれば他の人の履物と間違わない。
【０００５】ズボンをはいて外出し、トイレを使用する時、特に雨の日はトイレが汚れていても、ズボン汚れストッパー兼履物チェンジストッパーを使用することにより、ズボンの裾が汚れない、又はなおにつけておくと他の人の履物と間違わない。
【考案を実施するための最良の形態】
【０００６】すぐ使用できるようにズボンのポケット等に、又、バックの隅に丸めて入れて持運びが簡単。【０００７】幅の１、５ｃｍ位の長さ３０ｃｍぐらいのゴムひもの両端に、幅１、５ｃｍ位で長さ２、５ｃｍの面状ファスナーを一方は上に、一方は下に取り付け、面状ファスナーで止めると輪になるようにし、輪の上になる方に、飾りボタンかリボン等を取りつける。【０００８】幅の１、５ｃｍ位の長さ３０ｃｍぐらいのゴムひもの両端に、幅１、５ｃｍ位で長さ２、５ｃｍの面状ファスナーを一方は左端に取り付け、一方は右端の裏に取り付け面状ファスナーどうしで止めると輪になるようにし、左端の面状ファスナーのつけてないファスナーの裏に、飾りボタンかリボン等を取付つける。
【図面の簡単な説明】
【０００９】
【図１】は、本考案ストッパーの正面図である。
【図２】は、本考案ストッパーの裏面図である。
【符号の説明】
【０００１０】１  飾りボタンかリボン
２  正面面状ファスナー
３  裏面面状ファスナー
(57)【要約】【課題】  エンジンなどの車両装置と接続することでアース線が吸収するノイズと、アース線がアンテナとなり車両内から吸収するノイズの各々を軽減することのできるアース線を提供する。【解決手段】  アース線（１）にノイズ種類ごとに対応したノイズ対策装置（２）、ノイズ対策装置（３）を取り付け、ノイズ対策装置（２）はエンジンなどの車両装置（４）の発生するノイズを軽減し、ノイズ対策装置（３）はエンジンルーム内でアース線（１）がアンテナとなり吸収してしまったノイズをバッテリー（５）の前で軽減し役割分担することで効率よく幅広い周波数帯のノイズを軽減することができる。【選択図】図２
0003132924.tif 000002
【実用新案登録請求の範囲】
【請求項１】
車両エンジンなどのノイズ発生源へ直接アース接続した際にアース線が吸収するノイズ用のノイズ対策装置と、エンジンルーム内で発生しアース線がアンテナとなって吸収してしまうノイズ用のノイズ対策装置を取り付けた車両用ノイズ対策付きアース線。
【考案の詳細な説明】
【技術分野】
【０００１】  この考案は、自動車や単車などの車両のアース線に関するものである。
【背景技術】
【０００２】  従来、車両用のアース線には直接接続されたエンジンなどの車両装置のノイズ周波数帯に対応するノイズ対策装置を取り付けた車両用アース線があった。
【考案の開示】
【考案が解決しようとする課題】
【０００３】  これは、次のような欠点があった。
アース線を接続されたエンジンなどの車両装置が発生するノイズは、対応するノイズ周波数帯用のノイズ対策装置にて軽減することが可能であったが、アース線がバッテリーまでの線路でアンテナとなって吸収するエンジンルーム内ノイズを軽減することは不可能であった。
本考案は、これらの欠点を除くためになされたものである。
【課題を解決する為の手段】
【０００４】  アース線（１）にノイズの種類毎にノイズ対策装置（２）とノイズ対策装置（３）を取り付ける構成より、上記課題を解決する車両用ノイズ対策付きアース線である。
【考案の効果】
【０００５】  エンジンなどの車両装置（４）から発生するノイズはノイズ対策装置（２）が軽減し、エンジンルーム内で発生しアース線（１）がアンテナとなり吸収してしまうノイズはノイズ対策装置（３）で軽減した後バッテリー（５）へ接続し、役割分担することで効率よく幅広い周波数帯のノイズを軽減する事ができる。
【考案を実施するための最良の形態】
【０００６】  アース線（１）がエンジンなどの車両装置（４）から吸収したノイズを軽減する為にノイズ対策装置（２）は車両装置（４）の近くへ取り付け、ノイズ対策装置（３）は車両装置（４）とバッテリー（５）間でアース線（１）がアンテナとなって吸収するノイズを軽減するためバッテリー（５）の近くに取り付ける。
【図面の簡単な説明】
【図１】  本考案の平面図である。
【図２】  本考案の接続図である。
【符号の説明】
１  アース線
２  車両装置側のノイズ対策装置
３  バッテリー側のノイズ対策装置
４  車両装置
５  バッテリー
【図１】
0003132924.tif 000003
【図２】
0003132924.tif 000004
(57)【要約】      （修正有）【課題】魚釣りの場合に水面での浮止めを除く、魚合わせのタイミングで、水中における指し餌の水深調整や釣人と竿への当り具合の感触の向上及び魚の捕食時に浮の抵抗感を少なくする。【解決手段】浮本体１に内臓の道糸７が貫通する屈曲パイプ２の下部に屈曲角度を設け垂直部を経て上部にも屈曲角度を有する１〜２個所または複数箇所が屈曲したパイプ２に道糸７を貫通して、道糸７に張力が働いた場合には、屈曲パイプ２内部の摩擦力発生点で発生する摩擦力で道糸７に抵抗が生じ、浮を停止して目的の魚層水深を保持する。また、浮が遠方に流動した場合には、浮本体１に当り目印８を設けて浮の位置を確認する。【選択図】図１
0003132960.tif 000002
【実用新案登録請求の範囲】
【請求項１】
浮の本体１の内部に１個所または２箇所の屈曲を有するパイプ２を内蔵し、パイプ内に貫通した道糸７に張力を加えれば、パイプの屈曲部で発生する摩擦力により浮が停止することを特徴とする摩擦力を利用した浮。
【考案の詳細な説明】
【技術分野】
【０００１】  本考案は、魚釣り用の浮で、浮本体の内部を貫通する道糸に摩擦力を加える事により、浮の深度を適宜に停止出来る浮に関するものである。
【背景技術】
【０００２】  魚釣りにおいて、海底から海面までの間にある一定の深さ領域で魚を狙う場合に浮の当りを目視で確認するために浮が使用される。浮釣りには、固定仕掛けと誘導仕掛けがあり、固定仕掛けは魚の取り込みの関係で竿の長さと同じ位しか浮下を設定出来ない。【０００３】  一方遊動仕掛けは、浮下を自由に移動させて水深全層の魚を狙えるが浮が水面を流動して少し離れると可視出来ない状態になる。
【考案の開示】
【考案が解決しようとする課題】
【０００４】  魚釣りの場合に水面での浮止めを除く、魚合わせのタイミングで、水中における指し餌の水深調整や釣人と竿への当り具合の感触の向上及び魚の捕食時に浮の抵抗感を少なくする事を課題とする。
【課題を解決するための手段】
【０００５】  本考案は、上記の課題を解決するために、浮内部の道糸貫通穴が直線でなく浮の内部穴に屈曲部を設け、道糸の両端に張力が発生した場合には、道糸が貫通穴の屈曲部に接触する事で、摩擦抵抗力が発生して指し餌が水中の魚群水深層での停止が可能となる。また、浮の体積及び重量を従来の浮に比較して大きく出来るため、遠方水中への投げ込みが容易になり、魚の捕食時のタイミング合わせも良好で釣果の向上が期待出来る。
なお、浮本体及び屈曲パイプに使用する材料は、プラスチック、木質系、防錆の金属材料で、軽量で浮に使用出来る材料とする。
【考案の効果】
【０００６】  本考案の浮は、道糸の両端に張力が掛かれば、浮に内蔵した屈曲パイプ内に摩擦力が発生して浮が停止するため、魚の餌への食込みと針掛が良好となる。【０００７】  浮に内蔵した屈曲パイプ内での摩擦力が微小な場合は、錘（鉛）の調整で餌の沈下と撒き餌さと同調させて魚の捕食時の浮への抵抗感を弱める事が出来る。【０００８】  本考案の浮は、従来の浮に比較して体積及び重量を大きく出来るため、投げ釣等に使用する場合は、遠方に投げる事が出来る。また、浮止めが不要で水深の全層を自由に探れる事と、水中では浮の浮力と魚の引き合いで魚を早く弱らせ図３、釣人の持つ竿への影響を少なくする事と魚の小さな当りも鋭く感知出来る事を特徴とする。
【考案を実施するための最良の形態】
【０００９】  図１浮本体１に内蔵された屈曲パイプ２は、浮の下部に屈曲角度を設け垂直分を経て浮の上部に屈曲角度を有する１個所または２個所〜複数個所が屈曲したパイプ２内に道糸７を貫通させて、道糸７に張力が働いた場合に屈曲パイプ内の摩擦力発生点３．４．５．６の４箇所に発生する摩擦力で道糸７に抵抗を与える。道糸７の両方に掛かる張力が同一の場合は、浮は停止して目的魚層の水深が保持出来る。また、浮が遠方に流動した場合は、目視が困難となるため、浮の本体１に当り目印８を設け浮の流動場所を確認する。【００１０】  道糸７の張力の一方が弱くなれば、弱い方に浮は落下する。浮本体１に内蔵する屈曲パイプ２の屈曲角度の摩擦力発生点３．４．５．６と屈曲部数により、道糸の張力への摩擦力の調整が可能で、魚釣りでの小物から大物の魚種を狙える浮を構成する。【００１１】  本考案の浮に使用する材料は、プラスチック、木質系等軽量で浮に適合する材料であり、浮本体に内蔵する屈曲パイプは、プラスチック及び防錆金属材料とする。また、浮の形状は丸型、円錐型等自由である。
【実施例】
【００１２】  本考案の浮を使用する図３は、魚が捕食反転した時に浮本体１の内部に埋設する屈曲パイプ２内で摩擦力が発生し、魚に針掛りを起し、浮は海中に潜る。この時魚の引く力と浮の浮力とが引き合い竿１０の反発力や釣人の力に及ぼす影響が小さくなり図３、魚の力を早く弱らせる事が可能になる。また、浮の位置を水面１１下に保持する事で新しい魚の釣り方が生まれる。この浮の機能を組合せる事により、超巨大魚も小さい力で釣る事が可能となる。
【図面の簡単な説明】
【００１３】
【図１】  浮本体及び２箇所屈曲パイプの断面図。
【図２】  浮本体及び１箇所屈曲パイプ断面図。
【図３】  摩擦力を利用した浮の実施例図。
【符号の説明】
【００１４】  １  浮本体
２  屈曲パイプ
３  摩擦力発生点
４  摩擦力発生点
５  摩擦力発生点
６  摩擦力発生点
７  道糸
８  当り目印
１０  竿
１１  水面
【図１】
0003132960.tif 000003
【図２】
0003132960.tif 000004
【図３】
0003132960.tif 000005
(57)【要約】【課題】眼鏡やサングラスに傷が付かないように安心して出し入れすることができるポケットを提供することを目的とする。【解決手段】本考案のポケットは、本来清掃を目的とした眼鏡用ワイピングクロスを構成材料とすることにより、収納時に眼鏡を保護し、出し入れ時に眼鏡を清掃することで、従来よりの問題、いわゆる「ポケットに眼鏡をしまうと傷がつく。」という問題、これを解決するよう考案した。【選択図】図１
0003132948.tif 000002
【実用新案登録請求の範囲】
【請求項１】
衣類のポケット及びその他眼鏡を収納することができるポケットで、ポケットの収納部分が眼鏡の清掃用ワイピングクロスで出来ており、眼鏡保護と清掃が可能なポケット。
【考案の詳細な説明】
【技術分野】
【０００１】眼鏡やサングラスを装着時に、不意にこれらをはずした際、概ね収納場所にするのは着衣のポケットである。しかしながら、これを頻繁に繰り返すことでこれらのレンズに傷が生じる。本考案はこのレンズに傷がつきにくくなるよう考案されている。
【背景技術】
【０００２】
【考案の開示】
【考案が解決しようとする課題】
【０００３】スーツ着用時、装着していた眼鏡をはずし胸ポケットに仕舞い込む。このような動作は日常的に起きる動作である。しかしながらこの動作を繰り返すことにより眼鏡のレンズに傷が付き眼鏡の機能を果たさなくなる。このような場合を想定して、スーツやその他の衣服のポケットは改良されてこなかった。
【課題を解決するための手段】
【０００４】不織布でできたワイピングクロスは汚れた眼鏡を清掃する際に役立つ布である。このワイピングクロスは、眼鏡専用ケースに常備しておくことで、眼鏡を常々清掃できるものである。これはその素材がポリプロピレンであったり、セルロースであったりとレンズに傷をつけにくい素材で構成されているからである。この素材で出来た不織布をスーツなどのポケットの内生地に使用することで、眼鏡を保護することが可能になる。
【考案の効果】
【０００５】本考案により、はずした眼鏡を何の不安も無くポケットに仕舞い込めることが出来、従来で有れば傷が生じた事案も、逆にポケットからの出し入れによりレンズが清掃されるという利点も生じる。このことを特徴とするポケット。
【考案を実施するための最良の形態】
【０００６】図面を参照して、本発明を詳細に説明すると、
図１は考案するポケットの使用図と全体図及び断面図を示してある。
【実施例】
【０００７】眼鏡を折りたたんで、胸ポケット、内ポケット、その他ポケットに出し入れする。
【産業上の利用可能性】
【０００８】大掛かりな構造や仕組みを講じる事無く、従来の素材を変更することだけで効果を得られるので、安価で供給することが可能となり、具体的にはジャケット、ブルゾン類等の衣服または、鞄等の袋物類等のポケットを本考案のポケットに変更できる。
【図面の簡単な説明】
【０００９】
【図１】本考案使用図  全体図及び断面図
【符号の説明】
【００１０】ａ  ポケット表面生地
ｂ  眼鏡清掃用不織布
ｃ  眼鏡
【図１】
0003132948.tif 000003
(57)【要約】      （修正有）【課題】ほうきで掃き入れる時、塵がちりとりの中に入らず両サイドに逃げたりちりとりの下へ入り込む。塵をゴミ袋に入れる時ちりとり先端部が引っかかる。ちりとりの柄を持ちながらほうきで掃き込みにくい。以上のちりとり使用時の不便の改善を課題とする。【解決手段】ちり溜まり斜面３の裏面を湾曲面にし、ちり誘引ガイド部５を備え、掃き込みライン１を内側に窪ませ、ちり誘引ガイド部５の先端部に丸みをつけ、握り７を前方に傾斜させることによって改善される。【選択図】図１
0003132945.tif 000002
【実用新案登録請求の範囲】
【請求項１】
ちり溜まり斜面（３）の裏面が湾曲面になっている事で平面に置いた時、湾曲底面ライン（６）の点Ａが支点となり、掃き込みライン（１）の端から端まで平面と接触する特徴を持つちりとり。
【請求項２】
掃き込みライン（１）より前方に突き出た、ちり誘引ガイド部（５）を備えたちりとり
【請求項３】
ちり誘引ガイド部（５）の先端部に丸みをつけた特徴の請求項２のちりとり。
【請求項４】
掃き込みライン（１）を内側に窪ませた特徴のちりとり。
【請求項５】
握り（７）を前方に傾斜させた特徴のちりとり。
【考案の詳細な説明】
【技術分野】
【０００１】この考案は、ちりとりの形状に関する。
【背景技術】
【０００２】
【考案の開示】
【考案が解決しようとする課題】
【０００３】▲１▼  ほうきで掃き入れる時、塵がちりとりの中に入らず両サイドに逃げたりちりとりの下へ入り込む。
▲２▼  塵をゴミ袋に入れる時ちりとり先端部が引っかかる。
▲３▼  ちりとりを持ちながらほうきで掃き込みにくい。
この考案は上記▲１▼−▲３▼のちりとり使用時の不便を改善する事を課題とする。
【課題を解決するための手段】
【０００４】以上の課題を解決するために、
Ａ  ちり溜まり斜面（３）の裏面を湾曲面にする。
Ｂ  ちり誘引ガイド部（５）を備える。」
Ｃ  掃き込みライン（１）を内側に窪ませる。
Ｄ  ちり誘引ガイド部（５）の先端部に丸みをつける。
Ｅ  握り（７）を前方に傾斜させる。
【考案の効果】
【０００５】手段Ａにより、ちりとりを平面に置いた時掃き込みライン（１）が平面と密着する事と、手段Ｂ及びＣにより課題▲１▼が改善される。
手段Ｄによりちりとりの先端がゴミ袋に引っかかりにくくなり課題▲２▼が改善される。
手段Ｅによりちりとりを押さえながら自らを支える事になり課題▲３▼が改善される。
【考案を実施するための最良の形態】
【０００６】この考案の一実施形態を、図１に示す。掃き込みライン（１）は内側に湾曲させる事で窪ませている。又柄の部分を長くしてある。【０００７】「実施形態の効果」
この実施形態に依り、ちりとり使用時の不便を改善でき新たな形状のちりとりを提供できる。【０００８】「他の実施形態」
ちりとりの柄が短い物は握り（７）の傾斜角度が小さくても良い。
掃き込みライン（１）を湾曲させず端から端まで直線部を窪ませても良い。
【図面の簡単な説明】
【図１】この考案の一実施形態を平面Ａに置いた時の斜視図である。
【図２】この考案の一実施形態の下からの斜視図及び部分拡大図である。
【図３】この考案の他の一実施形態を示す斜視図及び部分拡大図とその投影図である。
【図４】従来技術を示す斜視図である。
【符号の説明】
【００１２】１  掃き込みライン
２  ちり受け斜面
３  ちり溜まり斜面
４  側面
５  ちり誘引ガイド部
６  湾曲底面ライン
７  握り
【図１】
0003132945.tif 000003
【図２】
0003132945.tif 000004
【図３】
0003132945.tif 000005
【図４】
0003132945.tif 000006
【手続補正書】
【提出日】平成19年4月11日(2007.4.11)
【手続補正１】
【補正対象書類名】実用新案登録請求の範囲
【補正対象項目名】全文
【補正方法】変更
【補正の内容】
【実用新案登録請求の範囲】
【請求項１】
ちり溜まり斜面（３）の裏面が湾曲面になっている事で平面に置いた時、湾曲底面ライン（６）の点Ａが支点となり、掃き込みライン（１）の端から端まで平面と接触する特徴を持つちりとり。
【請求項２】
掃き込みライン（１）より前方に突き出た、ちり誘引ガイド部（５）を備えた事を特徴とする請求項１記載のちりとり。
【請求項３】
ちり誘引ガイド部（５）の先端部に丸みをつけた事を特徴とする請求項１〜請求項２のいずれかに記載のちりとり。
【請求項４】
掃き込みライン（１）を内側に窪ませた事を特徴とする請求項１〜請求項３のいずれかに記載のちりとり。
【請求項５】
握り（７）を前方に傾斜させた事を特徴とする請求項１〜請求項４のいずれかに記載のちりとり。
(57)【要約】【課題】イヤホンコードをポケット等に収納した際に、イアホンコードが絡まってしまうのを防止する。【解決手段】コードが二つに分かれる部分をファスナーによって一本にまとめることで絡まることを防止する。【選択図】図１
0003132983.tif 000002
【実用新案登録請求の範囲】
【請求項１】
イヤホンコードにファスナーの機能を設け、イヤホン使用の際は二つに開き、収納する際は一本に束ねる収納機能付イヤホン
【考案の詳細な説明】
【技術分野】
【０００１】  本考案はイヤホンコードを絡まりにくくするものである。
【背景技術】
【０００２】  イヤホンコードを収容する際には二股になる部分ついているリングで簡単にまとめるか、そのままにしていた。
【考案の開示】
【考案が解決しようとする課題】
【０００３】  イヤホンコードはポケットやかばんの中等に収納する際、非常に絡まりやすいものであり、それを解くことに時間や労力がかかっていた。したがってイヤホンにファスナーの機能を持たせ絡まりにくくすることで前述の欠点を解決しようというものである。
【課題を解決するための手段】
【０００４】  本考案はイヤホンのコード部分にファスナーの機能を追加することによって、イヤホンを使用する際にはファスナーをあけ、収納する際にはコード部分のファスナーを閉めて収納する。コード部分のファスナーを閉めることによって二本のコードを一本にまとめ、からまりやすさを解消することができる。
【考案の効果】
【０００５】  上述のように、本考案のファスナー付イヤホンはイヤホンとして使用することはもちろん、ファスナーで一本に束ねればそれだけで収納になる。使用する際は首からファスナーが下がっていて、収納する際にも腰からチェーンのように下げればファッションの一部として利用することができる。
【考案を実施するための最良の形態】
【０００６】  ファスナーの歯の部分に金属のパーツを使うとコードがちぎれやすくなるので、プラスチックパーツを使うか、コードをナイロン等で強化する。
【実施例】
【０００７】  以下添付図面に沿って簡単に一実施例を説明をする。１はイヤホンのヘッドでスピーカーとなる部分。２はファスナーを一本に束ねる金具でこれを使うことで１のイヤホンヘッドの分かれた部分を一つにまとめる。３はファスナーのパーツを取り付けたイヤホンコードでこのパーツがかみ合うことでコードが１本にまとまる。
【図面の簡単な説明】
【０００８】
【図１】使用状態図
【図２】正面図
【符号の説明】
【０００９】  １．イヤホンヘッド部分
２．ファスナーヘッド部分
３．ファスナー、イヤホンコード部分
４．イヤホンジャック部分
【図１】
0003132983.tif 000003
【図２】
0003132983.tif 000004
(57)【要約】      （修正有）【課題】箱罠における踏み板に連動するワイヤーを、絞り具で有効にする。【解決手段】踏み板３を獲物が抑えると軸７を基点にワイヤー２を伴って回転する。ワイヤー２の回転を、絞り具１によって回転から、引きの働きに転換させるものである。【選択図】図３
0003132988.tif 000002
【実用新案登録請求の範囲】
【請求項１】
踏み板に接近した両端に、絞り具を箱罠の床材に接合して固定し、絞り具の中にワイヤーを通す箱罠のワイヤー絞り具。
【考案の詳細な説明】
【技術分野】
【０００１】
本考案は、箱罠におけるワイヤーの絞り具に関するものである。
【技術背景】
【０００２】
絞り具を設置しないと十分にワイヤーは絞れない。従って、より完璧な踏み込み箱罠とはいいがたい。
【考案の開示】
【考案が解決しようとする課題】
【０００３】
本考案では踏み板は真下に下がるのではなく、軸を基点に回転する仕組みなので、絞り具がなかったり、絞り具の位置が離れていたりしると、、ワイヤーが単に回転するだけに終り、引く行為にならない。
【課題を解決するための手段】
【０００４】
踏み板に接近した位置にワイヤー絞リ具を設置して、踏み板の回転をワイヤーの引きの行為に変える。
【考案の効果】
【０００５】
踏み板に接近した絞り具は、単なる輪にすぎないが、ワイヤーの回転を、引きの行為に変える。
【考案を実施するための最良の形態】
【０００６】
踏み板のそばに設置した絞り具である輪の中に、ワイヤーを通すだけの些細な行為で、本来の引く目的が達成できる。
【実施例】
【０００７】
以下、添付図面に従って実施例を説明する。獲物が踏み板３を抑えると、天秤の踏み板３は軸７を基点にワイヤー２を伴って回転する。ワイヤー２の回転を絞り具１で、引きの行為に変換させる。
【０００８】
ワイヤー２のＡ〜ＢとＣ〜Ｄを踏み込んだ長さが、ワイヤー２を引っ張った長さになる。
【０００９】
踏み板の中心に軸のある天秤の踏み板３も  相反する方向に向けて設置する二つの踏み板９いずれも、絞り具１の果たす役割の原理は同じである。
【図面の簡単な説明】
【００１０】
【図１】踏み板付近の正面詳細図である。
【図２】絞り具とワイヤー、踏み板の関係をしめす斜視図である。
【図３】絞り具とワイヤー、一つの軸による天秤の踏み板との関係をしめす平面である。
【図４】二つの軸による相反する方向に設置する二つの踏み板が作動した状態のワ              イヤーとの関係を示す側面図である。
【符号の説明】
【００１１】
１  絞り具
２  ワイヤー
３  天秤踏み板
４  穴
５  金輪
６  箱罠の材
７  軸
８  軸受け
９  相反する方向に向けて設置する二つの踏み板
【図１】
0003132988.tif 000003
【図２】
0003132988.tif 000004
【図３】
0003132988.tif 000005
【図４】
0003132988.tif 000006
(57)【要約】【課題】  フェンス鉄柵で布団を干す時に、布団とフェンス鉄柵柱の間に空間をもうけて、風通しをよくし、フェンス鉄柵の汚れが布団に附着するのを防止する器具を提供する。【解決手段】  ネジ切り込みステンレス丸棒フック（１）を押さえステンレス板（２）にネジ込み固定し、押さえステンレス板（２）でフェンス鉄柵柱をはさみ、ボルト（３）を差し込みナット（４）で締め付け固定して風通しをよくし、フェンス鉄柵柱の面の汚れが布団に附着するのを防止することを特徴とする。【選択図】図１
0003132981.tif 000002
【実用新案登録請求の範囲】
【請求項１】
ネジ切り込みステンレス丸棒の一方の先をフック形に曲げた物を２本作り、２枚の押さえステンレス板のネジ穴に各々ネジ込み固定し、更に、ナット付きボルト２本で２枚の押さえステンレス板にそれぞれ差し込み、フェンス鉄柵柱を２枚の押さえステンレス板ではさみボルト締めして固定させ、布団の風通しと汚れ防止具として使用することを特徴とする布団干し具。
【考案の詳細な説明】
【技術分野】
【０００１】  本考案は、フェンス鉄柵で布団干しをする時に、フェンス鉄柵柱に防止具を取付け風通しをよくし、フェンス鉄柵柱に附着している汚れが布団に附着するのを防ぐ布団干しに関するものである。
【背景技術】
【０００２】  従来、平ベルトで、材質はゴム製を用いコの字型突起物が、等間隔に着いている布団干し具があった（特許文献１参照）。
【特許文献１】特開２００１−１１３０９３号公報
【考案の開示】
【考案が解決しようとする課題】
【０００３】  それには次のような問題点があった。
（イ）布団干しする時、布団を取込む時、常に防止具も取付け、取外しの作業があった。
（ロ）材質がゴム製なので、変質、変色の可能性があり、耐久性に問題があった。
（ハ）常に、手入れが必要であった。
（二）防止具自体の重量、大きさに難があった。
本考案は、これらの問題点を解決するためになされたものである。
【課題を解決するための手段】
【０００４】  材質はステンレス丸棒を使用し、布団との接触面をフック型とし、フェンス鉄柵柱を押さえステンレス板２枚ではさみ、ボルト締めして鉄柵柱に固定させる。以上を特徴とする布団の風通しと汚れ防止具である。
【考案の効果】
【０００５】  ステンレス丸棒を材質としたのでさびて変形する心配がなく、布団と防止具の接触面を円形のフック型としたので接触面積が最小限になり、鉄柵に固定するので作業が簡単で安全である。また、接触面を左右で８点にしたので材料重量の軽減と大きさを削減することができ、手入れの必要がなくなった。
【考案を実施するための最良の形態】
【０００６】  以下、本考案の実施の形態について説明する。
（イ）ネジ切り込みステンレスφ５ｍｍ丸棒フック（１）を押さえステンレス板（２）のネジ穴にネジ込んだ物を２組作る。
（ロ）フェンス鉄柵柱を左右からはさみ、ボルト（３）を差し込み、穴に差し込みナット（４）で締め付ける。
【実施例】
【０００７】  本考案は以上のような構造で、これを使用する時には、押さえステンレス板（２）は、フェンス鉄柵柱（５）２本以上にかかるように取付けてナット（４）で十分に締めて固定する、干し布団（６）１枚につきステンレスφ５ｍｍ丸棒フック（１）からナット（４）を締めた４個で十分に風通しと汚れ防止の役目をする。
【図面の簡単な説明】
【０００８】
【図１】本考案の斜視図
【図２】本考案を示す展開図
【図３】本考案を示す断面図
【図４】本考案を示す側面図
【符号の説明】
【０００９】    １  ネジ切り込みステンレス丸棒フック
２  押さえステンレス板
３  ボルト
４  ナット
５  フェンス鉄柵柱
６  布団
【図１】
0003132981.tif 000003
【図２】
0003132981.tif 000004
【図３】
0003132981.tif 000005
【図４】
0003132981.tif 000006
(57)【要約】      （修正有）【課題】食品業界などで多く用いられている、ペースト状など半固形の形状の原材料を含有する缶を開封する場合において、安全で、切除した蓋部分と切刃部分が噛んでしまう等の作業上の問題を生じないため作業性が良く、簡便な缶カッターの提供。【解決手段】缶の蓋を切開する缶カッターにおいて、切刃部分に対して安全ガードを略鋭角的に取り付けた缶カッター。これを採用することにより、簡便に缶の開封が行われ、職場災害等の危険を防止し、作業性が向上する。【選択図】図１
0003132989.tif 000002
【実用新案登録請求の範囲】
【請求項１】
缶の蓋を切開する缶カッターにおいて、切刃部分に対して安全ガードを略鋭角的に取り付けたことを特徴とする缶カッター。
【考案の詳細な説明】
【技術分野】
【０００１】
本考案は、缶カッターに関するものである。
【背景技術】
【０００２】
食品原料においてはペースト状など半固形の形状を有するものが多く、これらのものの流通には所謂丸缶が用いられることが多い。これら丸缶を開封する場合には、缶切が使用されているが、作業性が悪く手間隙がかかるという問題を有していた。また、切り口が整然とならないときはペースト原料の取出しが困難となり、職場災害の原因となる可能性も有していた。
【０００３】
角型缶のカッターについては種々のものが提案されているが（例えば特許文献１）、これらの缶カッターを丸缶に応用した場合、切除した蓋部分と切刃部分が噛んでしまい作業上問題を生じることがあった。この問題については、切開板の近傍に噛付き防止阻止片を設けたものが提案されているが（特許文献２）、簡便なものとはいえなかった。
【特許文献１】実開昭５２−７６４５１号公報
【特許文献２】特開２００４−１８２３３３号公報
【考案の開示】
【考案が解決しようとする課題】
【０００４】
解決しようとする問題点は、丸缶を開封する簡便な器具が無いという点である。
【課題を解決するための手段】
【０００５】
かかる目的を達成するための考案は、缶の蓋を切開する缶カッターにおいて、切刃部分に対して安全ガードを略鋭角的に取り付けたことを特徴とする缶カッターである。
【考案の効果】
【０００６】
本考案を採用することにより、簡便に缶の開封が行われ、職場災害等の危険を防止し、作業性が向上する。
【考案を実施するための最良の形態】
【０００７】
以下、本考案の構成を図１〜３に示す実施の形態に即して説明する。図１は、本考案の正面図であり、図２は、本考案の側面図であり、図３は、本考案の平面図である。
【０００８】
図４は、本考案Ａ-----Ａ面での断面図である。安全ガードは切刃部分に対して略鋭角的に取り付けられている。
【産業上の利用可能性】
【０００９】
簡便に缶の開封が行われ、職場災害等の危険を防止し、作業性が向上する缶カッターを提供する。
【図面の簡単な説明】
【００１０】
【図１】本考案の缶カッターの正面図である。
【図２】本考案の缶カッターの側面図である。
【図３】本考案の缶カッターの平面図である。
【図４】本考案の缶カッターのＡ-----Ａ面での断面図である。
【図１】
0003132989.tif 000003
【図２】
0003132989.tif 000004
【図３】
0003132989.tif 000005
【図４】
0003132989.tif 000006
(57)【要約】【課題】  従来のようなＩＣチップが組み込まれたカードでは、盗難にあったり、落として紛失したり、銭湯など衣服を身に付けられない場所では、ＩＣチップが組み込まれたカードを携帯できない場合があり非常に不便である。このような盗難にあったり、落として紛失したり、銭湯など衣服を身に付けられない場所では、ＩＣチップが組み込まれたカードを携帯できないという不都合を解決すること。【解決手段】  ＩＣチップのシートを、はめ込める窪みを内側に設けたことを特徴とする指輪１などにより、この課題を解決する。【選択図】図１
0003132982.tif 000002
【実用新案登録請求の範囲】
【請求項１】
ＩＣチップのシートをはめ込める窪みを内側に設けたことを特徴とする指輪。
【考案の詳細な説明】
【技術分野】
【０００１】  本考案は、指輪に関するものであり、指輪の内側に窪みを設けることで、ＩＣチップのシートをはめ込めるようにしたものである。
【背景技術】
【０００２】従来から現金の入出金にＩＣチップが組み込まれたカードが利用されている。
【考案の開示】
【考案が解決しようとする課題】
【０００３】  しかし、従来のようなＩＣチップが組み込まれたカードでは、盗難にあったり、落として紛失したり、銭湯など衣服を身に付けられない場所ではＩＣチップが組み込まれたカードを携帯できない場合があり非常に不便である。このような盗難にあったり、落として紛失したり、銭湯など衣服を身に付けられない場所では、ＩＣチップが組み込まれたカードを携帯できないという不都合を解決することを課題とする。
【課題を解決するための手段】
【０００４】  この課題を解決するための請求項１の発明は、ＩＣチップのシートをはめ込める窪みを内側に設けたことを特徴とする指輪である。指に本発明のＩＣチップのシートをはめ込める指輪はめることで、盗難にあったり、紛失することを防ぎ、または銭湯などでも常に肌身離さずに携帯することができる。
【考案の効果】
【０００５】  本考案により、盗難にあったり、落として紛失したり、銭湯などで携帯できないという不都合は起きることがない。
【考案を実施するための最良の形態】
【０００６】  図１は、ＩＣチップのシートをはめ込める窪みを内側に設けたことを特徴とする指輪の斜視図である。同図に示すように、指輪の内側に設けられた窪みにより、ＩＣチップのシートをはめ込むことができるため、盗難にあったり、紛失することを防ぎ、または銭湯などでも常に肌身離さずに携帯することができる。【０００７】  本考案のＩＣチップのシートをはめ込める指輪の材料は、シルバーなどの通常の貴金属のものでよい。また、ＩＣチップのシートをはめ込める窪みは丸くてもよい。
【産業上の利用可能性】
【０００８】  本考案に係るＩＣチップのシートをはめ込める指輪は、工業的に量産する事が可能であるため、産業上の利用可能性を有する。
【図面の簡単な説明】
【０００９】
【図１】指輪の内側に窪みを設けることで、ＩＣチップのシートをはめ込めるようにした指輪の斜視図
【図２】指輪の内側に窪みを設けることで、ＩＣチップのシートをはめ込めるようにした指輪の断面図
【符号の説明】
【００１０】１    指輪の内側に窪みを設けることで、ＩＣチップのシートをはめ込めるようにした指輪
２    ＩＣチップのシートをはめ込むために指輪の内側に設けた窪み
【図１】
0003132982.tif 000003
【図２】
0003132982.tif 000004
(57)【要約】      （修正有） 【課題】石鹸を石鹸置きに水平に置いた場合、底の部分と容器との接触面積が広くなるなど、水切りが悪いため、石鹸を立てて収納できるようにした石鹸立てを提供する。【解決手段】石鹸立て本体に石鹸受縦棒Ａ−１〜Ａ−５、Ｄ−１、Ｂ−１，Ｃ−１，Ｅを設け、石鹸を立てて収納出来るようにしたため、石鹸の水切りが良くなるものである。また、立てて置くため面積を要せず、従来の横置き容器１個分程度のスペースで複数の石鹸が収納できる。【選択図】図１
0003132990.tif 000002
【実用新案登録請求の範囲】
【請求項１】
本体に石鹸受縦棒を設けることにより、石鹸を立てにして保管できるところを特徴とする石鹸立て。
【請求項２】
縦棒の間隔が指の横幅より広く、かつ横棒が本体の底辺のみであるため、石鹸を取り出す際、指の妨げにならないことを特徴とする請求項１記載の石鹸立て。
【請求項３】
複数の石鹸を収納出来るようにし、石鹸の収納や取り出しが容易となるよう各石鹸収納部間に指を入れるための空間部分を設けたことを特徴とする請求項１又は２記載の石鹸立て。
【請求項４】
石鹸を収納又は取り出す際の指の妨げにならないよう、石鹸受縦棒外側列の先端部分を外側に曲げたことを特徴とする請求項１から３までのいずれかに記載の石鹸立て。
【考案の詳細な説明】
【技術分野】
【０００１】
本考案は、本体に石鹸受縦棒を設け、縦棒の間隔を指の横幅より広くし、かつ各石鹸収納部間に指を入れるための空間部分を設けるなど石鹸を取り出す際の指の妨げにならないようにし、複数の石鹸を立てにして収納出来るようにした石鹸立てに関するものである。
【背景技術】
【０００２】
市販されている石鹸置きは、石鹸を水平に寝かせて置くようになっているため、石鹸の底と容器が接している。また、石鹸の上の面も水平になっている。
【考案の開示】
【考案が解決しようとする課題】
【０００３】
石鹸を石鹸置きに水平に置いた場合、石鹸の底の部分と容器との接触面積が広くなる。また上面も水平であり水切りが悪いため石鹸が乾きにくく、石鹸が溶けてしまうことがある。さらに、横に置く場合、多くの面積を必要とする。
【課題を解決するための手段】
【０００４】
本考案は、本体に石鹸受縦棒を設けることにより、複数の石鹸を縦にして収納できるようにし、かつ石鹸を取り出す際の指の妨げにならないようにするため、縦棒の間隔を指の横幅より広くし、また横棒を本体の底辺のみとし、さらに各石鹸収納部間に指を入れるための空間部分を設け、併せて石鹸受縦棒外側列の先端部分を外側に曲げることにより、問題点を解決している。
【考案の効果】
【０００５】
上述のように、本考案では、本体に石鹸受縦棒を設け、石鹸を縦にして収納できるようにしたため、石鹸の水切りが良くなるものである。また、立てにして収納するため、従来の横置き容器１個分程度のスペースで複数の石鹸が収納できるようにしている。
【考案を実施するための最良の形態】
【０００６】
石鹸立ての石鹸受縦棒Ａ列とＢ列の間及びＣ列とＤ列の間に石鹸を縦にして収納する。（石鹸２個を同時に収納する。）石鹸受縦棒Ｂ列とＣ列の間は、石鹸を収納または取り出す際に指を入れる部分となるため、石鹸は収納しない。
【実施例】
【０００７】
以下、添付図面に従って一実施例を説明する。図１は、石鹸受縦棒及び本体横棒等
がステンレス金属又は耐久性のプラスチック等適宜素材にて形成された石鹸立て本体部分とそれを支えるゴム等適宜素材にて形成された滑り止め部分からなる石鹸立てである。
・  石鹸を石鹸立てに縦にして収納する実施例（図１）
石鹸受縦棒Ａ列とＢ列の間及びＣ列とＤ列の間に石鹸を縦にして収納すれば、石鹸２個を同時に収納できる。石鹸を取り出す時は、石鹸受縦棒の間に指が入るようにして石鹸を掴めば本体が指の妨げにならず容易に取り出すことが出来る。
石鹸受縦棒Ｂ列とＣ列の間は、石鹸を収納または取り出す際に指を入れる部分となるため、石鹸は収納しない。
・  石鹸が薄くなった時の使用実施例
１の実施例のほか、石鹸が薄くなった時は、Ａ-1〜Ｄ-1縦列とＡ-2〜Ｄ-2縦列の間に１の収納例と直角に収納すれば、同時に３個が収納できる。
【図面の簡単な説明】
【０００８】
【図１】本考案の石鹸立ての石鹸受縦棒及び本体横棒設置状態と石鹸立てに石鹸を収納した状態を示す図である。
【図２】上記状態の断面図である。
【符号の説明】
【０００９】
Ａ-1〜Ａ-５、Ｄ-1   石鹸受縦棒（外側）
Ｂ-1、Ｃ-1、           石鹸受縦棒（内側）
Ｅ                     石鹸受縦棒（外側）先端部
ア、イ、ウ        本体横棒
【図１】
0003132990.tif 000003
【図２】
0003132990.tif 000004
(57)【要約】【課題】  本考案は、ペンチの本体にシノとラチエットレンチをつけた建設用作業工具に関するものである。【解決手段】本考案は、ペンチ（１）の上部左側にシノ（２）を取り付け、下部左側にラチエットレンチ（３）を取り付ける。ペンチの下部右側とラチエットレンチに接する箇所に、ペンチの開き防止金具を、また、ペンチの下部左側とラチエットレンチの接する箇所付近に落下防止用ストラップ穴を設ける。【選択図】図１
0003132975.tif 000002
【実用新案登録請求の範囲】
【請求項１】
切る、曲げる、引っ張る、ねじるなどの多くの作業が可能なペンチにおいて、シノの部材とラチエットレンチの部材を一体化することにより、高所の足場材の組み立て、解体などの作業に非常に便利なシノ付きラチエットレンチ付きペンチ。
【請求項２】
ペンチの柄の開き防止金具を付けることによって、締め付けたり、緩めたりする作業がより安全に、より効率よく作業が出来る請求項１の記載のシノ付きラチエット付きペンチ。
【考案の詳細な説明】
【技術分野】
【０００１】  本考案は、複数の機能を備えた建設用作業工具であり、主に建設現場で足場を組み立て、解体するための作業工具で、具体的には、シノとラチエットレンチを取り付けたペンチに関するものである。
【背景技術】
【０００２】  建設用作業工具は、一つの工具で一工程の作業をするようになっているものが、多いが現実の作業現場では、複数の作業を連続して行なう場合も多い。そのため、複数の機能を一つの工具としてまとめた多機能工具も開発されており、これらは作業者の携帯に便利なだけでなく、例えば、高所作業での工具の落下事故の減少にも有効である。
【考案の開示】
【考案が解決しようとする課題】
【０００３】  本考案の課題は、安全性に優れ、一連の番線を使用した足場、及び、鋼管足場の組み立てなどの作業で、作業の流れがスムーズに流れる、シノとラチエットレンチを一体化したペンチを提供することにある。
【課題を解決しようとする手段】
【０００４】  本考案で、請求項１に記載された考案は、ペンチにシノとラチエットレンチを一体化することにより、強固な締め付けなどが可能になったラチエットレンチとペンチを取り付けたシノである。
【考案の効果】
【０００５】  本考案の、シノとラチエットレンチとを取り付けたペンチは、従来の工具に比べて、作業員が安全に携帯ができ、特に、力点が片方に固まっているので、持ち換える等の必要がないので片手で、番線を切る、締め付けるなどの一連の作業に無駄な動きがなく、便利である。
【考案を実施するための最良の形態】
【０００６】  本考察においては、シノ部を力点側に付ける事により、作業の効率をよくし作業の流れがスムーズに流れ、また、曲げる、挟む、引っ張る、捻るなどの作業により、より確実な締め付けが可能となる。一方、請求項２に記載された考察は、作用点に開き防止金具を付ける事により、手を挟む等の心配がなくなり、シノ部による締め付け作業がより効率的になる。
【実施例】
【０００７】  図１は、本考察のシノ付きラチエットレンチ付きペンチの図面であり、シノ部材がペンチの左先端に付いており、ラチエットレンチ部材はペンチの握り部左に付き、それには、ペンチの開き防止のための金具が右に、また、落下防止工具用ストラップの穴が左にある。
【産業上の利用可能性】
【０００８】  土木、建築建設現場での番線、針金、ボルトナットなどの切断、締め付け、及び、緩めの作業に適します。林業、農業作業場での番線、針金、ボルトナットなどの切断、締め付け作業に適します。
【図面の簡単な説明】
【０００９】
【図１】本考案の、ラチエットレンチ付きペンチの実施例を示す正面図である。
【図２】本考案の、開き防止金具の断面図である。
【符号の説明】
【００１０】  １  ペンチ
２  シノ
３  ラチエットレンチ
４  落下防止用ストラップ穴
５  開き防止金具
６  落下防止用ストラップ
【図１】
0003132975.tif 000003
【図２】
0003132975.tif 000004